(57)【要約】【課題】複数の録画モードの中から使用する録画モードを選択する際におけるユーザの作業の負担を軽減することが可能な録画装置を提供する。【解決手段】このＤＶＤ／ＢＤレコーダ１０（録画装置）は、テレビジョン放送を、画質の異なる複数の録画モードを選択的に使用して記録可能なハードディスク１４を備え、複数の録画モードの一部を使用可能な録画モードとして絞り込む設定を行うことが可能なように構成されている。【選択図】図２
2011249949.tif 000002
【特許請求の範囲】
【請求項１】
テレビジョン放送を、画質の異なる複数の録画モードを選択的に使用して記録可能な記録部を備え、
前記複数の録画モードの一部を使用可能な録画モードとして絞り込む設定を行うことが可能なように構成されている、録画装置。
【請求項２】
前記複数の録画モードの録画モード毎に、前記使用可能な録画モードとするか否かの設定を行うことが可能なように構成されている、請求項１に記載の録画装置。
【請求項３】
前記複数の録画モードのうち、いずれの録画モードが前記使用可能な録画モードとして設定されたかという情報を記憶する設定情報記憶部をさらに備える、請求項１または２に記載の録画装置。
【請求項４】
前記録画装置に接続される表示装置の表示内容を制御可能な制御部をさらに備え、
前記制御部は、ユーザにより前記使用可能な録画モードを絞り込む設定が行われる場合において、前記複数の録画モードの一覧を含むとともに、前記複数の録画モードのうち、いずれの録画モードを前記使用可能な録画モードとするかをユーザに設定させる画面を前記表示装置に表示させるように構成されている、請求項１〜３のいずれか１項に記載の録画装置。
【請求項５】
前記制御部は、ユーザにより前記使用可能な録画モードを絞り込む設定が行われた場合において、前記複数の録画モードのうち、設定により絞り込まれた前記使用可能な録画モードを選択可能な状態で表示する録画モード選択画面を前記表示装置に表示させるように構成されている、請求項４に記載の録画装置。
【請求項６】
前記録画モード選択画面は、前記使用可能な録画モードを、ユーザの操作に応じて切り替わりながら一つずつ表示するように構成されている、請求項５に記載の録画装置。
【請求項７】
前記録画モード選択画面は、前記使用可能な録画モードを画質の高い順に一覧表示するように構成されている、請求項５に記載の録画装置。
【請求項８】
前記録画モード選択画面は、前記複数の録画モードの全てを画質の高い順に一覧表示するとともに、一覧表示された前記全ての録画モードのうち、前記使用可能な録画モードを選択可能な状態で表示し、使用不可能な録画モードを選択不可能な状態で表示するように構成されている、請求項５に記載の録画装置。
【請求項９】
前記全ての録画モードは、選択可能な状態であるか選択不可能な状態であるかをユーザが視覚的に識別することが可能なように表示されている、請求項８に記載の録画装置。
【発明の詳細な説明】
【技術分野】
【０００１】
この発明は、録画装置に関し、特に、記録部を備える録画装置に関する。
【背景技術】
【０００２】
従来、記録部を備える録画装置が知られている。
【０００３】
一般に、録画装置の記録部は、テレビジョン放送を、画質の異なる複数の録画モードを選択的に使用して記録可能なように構成されている。近年、録画モードは、様々な圧縮規格の登場により約十種類まで増加している。このため、記録部にテレビジョン放送を録画したい場合、ユーザは、録画を行う毎に約十種類の録画モードから使用する録画モードを一つ選択する必要があるので、録画モードを選択する際のユーザの作業が煩雑になるという不都合がある。
【０００４】
そこで、録画モードを容易に選択することが可能な放送受信装置が提案されている（たとえば、特許文献１参照）。
【０００５】
上記特許文献１には、ハードディスクドライブ（記録部）を備えるＤＶＤレコーダ（録画装置）に接続される放送受信装置が開示されている。この放送受信装置では、ＤＶＤレコーダのハードディスクドライブにテレビジョン放送が録画される場合に、直前の録画時に設定された録画モードを自動的に選択して表示するように構成されている。
【先行技術文献】
【特許文献】
【０００６】
【特許文献１】特開２００６−９４４０８号公報
【発明の概要】
【発明が解決しようとする課題】
【０００７】
しかしながら、上記特許文献１に記載の放送受信装置では、自動的に選択された録画モードと異なる録画モードを選択したい場合、ユーザは約十種類の録画モード全ての中から１つの録画モードを選択し直す必要がある。この場合、ユーザは、目的の録画モードを選択するために、たとえばリモコンのキー操作により録画モードを１つずつ経由する必要がある。このため、選択された録画モードを変更する際のユーザの作業が煩雑になるという問題点がある。
【０００８】
この発明は、上記のような課題を解決するためになされたものであり、この発明の１つの目的は、複数の録画モードの中から使用する録画モードを選択する際におけるユーザの作業の負担を軽減することが可能な録画装置を提供することである。
【課題を解決するための手段および発明の効果】
【０００９】
この発明の一の局面による録画装置は、テレビジョン放送を画質の異なる複数の録画モードを選択的に使用して記録可能な記録部を備え、複数の録画モードの一部を使用可能な録画モードとして絞り込む設定を行うことが可能なように構成されている。
【００１０】
この一の局面による録画装置では、上記のように、複数の録画モードの一部を使用可能な録画モードとして絞り込む設定を行うことが可能なように構成することによって、録画モードを選択する際および選択された録画モードを変更する際におけるユーザの選択肢の数を少なくすることができる。これにより、複数の録画モードの中から使用する録画モードを選択する際におけるユーザの作業の負担を軽減することができる。
【００１１】
上記一の局面による録画装置において、好ましくは、複数の録画モードの録画モード毎に、使用可能な録画モードとするか否かの設定を行うことが可能なように構成されている。このように構成すれば、いずれの録画モードを使用可能な録画モードとするかをユーザが自由に録画モード毎に設定することができる。
【００１２】
上記一の局面による録画装置において、好ましくは、複数の録画モードのうち、いずれの録画モードが使用可能な録画モードとして設定されたかという情報を記憶する設定情報記憶部をさらに備える。このように構成すれば、いずれの録画モードが使用可能な録画モードとして設定されたかという情報を設定情報記憶部に記憶させておくことができるので、設定情報の管理を容易に行うことができる。
【００１３】
上記一の局面による録画装置において、好ましくは、録画装置に接続される表示装置の表示内容を制御可能な制御部をさらに備え、制御部は、ユーザにより使用可能な録画モードを絞り込む設定が行われる場合において、複数の録画モードの一覧を含むとともに、複数の録画モードのうち、いずれの録画モードを使用可能な録画モードとするかをユーザに設定させる画面を表示装置に表示させるように構成されている。このように構成すれば、複数の録画モードのうち、いずれの録画モードを使用可能な録画モードとするかをユーザが画面を見ながら容易に設定することができる。
【００１４】
この場合、好ましくは、制御部は、ユーザにより使用可能な録画モードを絞り込む設定が行われた場合において、複数の録画モードのうち、設定により絞り込まれた使用可能な録画モードを選択可能な状態で表示する録画モード選択画面を表示装置に表示させるように構成されている。このように構成すれば、ユーザは、録画モード選択画面を見ることにより、設定により絞り込まれた使用可能な録画モードのうち、いずれの録画モードが使用可能であるかを容易に認識することができる。
【００１５】
上記録画モード選択画面を表示装置に表示させる録画装置において、好ましくは、録画モード選択画面は、使用可能な録画モードを、ユーザの操作に応じて切り替わりながら一つずつ表示するように構成されている。このように構成すれば、使用可能な録画モードが一つずつ録画モード選択画面に表示されるので、ユーザは、録画モード選択画面を見ることにより、現在表示されている選択対象の録画モードがどの録画モードであるかを誤りなく確実に認識することができる。
【００１６】
上記録画モード選択画面を表示装置に表示させる録画装置において、好ましくは、録画モード選択画面は、使用可能な録画モードを画質の高い順に一覧表示するように構成されている。このように構成すれば、ユーザは、録画モード選択画面を見ることにより、目的の録画モードの画質の高さの順番が、使用可能な録画モード全体の中でどの位置にあるのかを容易に確認することができる。
【００１７】
上記録画モード選択画面を表示装置に表示させる録画装置において、好ましくは、録画モード選択画面は、複数の録画モードの全てを画質の高い順に一覧表示するとともに、一覧表示された全ての録画モードのうち、使用可能な録画モードを選択可能な状態で表示し、使用不可能な録画モードを選択不可能な状態で表示するように構成されている。このように構成すれば、ユーザは、録画モード選択画面を見ることにより、使用可能な録画モードの画質の高さの順番が、使用不可能な録画モードを含めた全ての録画モードの中でどの位置にあるのかを容易に確認することができる。
【００１８】
この場合、好ましくは、全ての録画モードは、選択可能な状態であるか選択不可能な状態であるかをユーザが視覚的に識別することが可能なように表示されている。このように構成すれば、ユーザは、録画モード選択画面を見ることにより、録画モード選択画面に表示された全ての録画モードのうち、どの録画モードが選択可能であり、どの録画モードが選択不可能であるかを容易に認識することができる。
【図面の簡単な説明】
【００１９】
【図１】本発明の第１〜第３実施形態によるＤＶＤ／ＢＤレコーダの構成を示したブロック図である。
【図２】本発明の第１〜第３実施形態によるＤＶＤ／ＢＤレコーダの録画モードを絞り込む設定が行われる場合における制御動作を説明するためのフローチャートである。
【図３】本発明の第１〜第３実施形態によるＤＶＤ／ＢＤレコーダの録画モード設定画面を示した図である。
【図４】本発明の第１実施形態によるＤＶＤ／ＢＤレコーダの録画モードが切り替えられる場合における制御動作を説明するためのフローチャートである。
【図５】本発明の第１実施形態によるＤＶＤ／ＢＤレコーダの録画モード選択画面の録画モード切替前の状態を示した図である。
【図６】本発明の第１実施形態によるＤＶＤ／ＢＤレコーダの録画モード選択画面の録画モード切替途中の状態を示した図である。
【図７】本発明の第１実施形態によるＤＶＤ／ＢＤレコーダの録画モード選択画面の録画モード切替後の状態を示した図である。
【図８】本発明の第２実施形態によるＤＶＤ／ＢＤレコーダの録画モード選択画面を示した図である。
【図９】本発明の第３実施形態によるＤＶＤ／ＢＤレコーダの録画モード選択画面を示した図である。
【発明を実施するための形態】
【００２０】
以下、本発明の実施形態を図面に基づいて説明する。
【００２１】
（第１実施形態）
まず、図１を参照して、本発明の第１実施形態によるＤＶＤ／ＢＤレコーダ１０（Ｄｉｇｉｔａｌ  Ｖｅｒｓａｔｉｌｅ  Ｄｉｓｃ／Ｂｌｕ−ｒａｙ  Ｄｉｓｃレコーダ）の構成について説明する。なお、ＤＶＤ／ＢＤレコーダ１０は、本発明の「録画装置」の一例である。
【００２２】
本発明の第１実施形態によるＤＶＤ／ＢＤレコーダ１０は、図１に示すように、チューナ１１と、映像出力部１２と、映像処理部１３と、ハードディスク１４と、ＤＶＤ／ＢＤドライブ１５と、制御部１６と、フラッシュメモリ１７と、リモコン受信部１８とから構成されている。なお、ハードディスク１４は、本発明の「記録部」の一例であり、フラッシュメモリ１７は、本発明の「設定情報記憶部」の一例である。ＤＶＤ／ＢＤレコーダ１０は、映像出力部１２を介して表示部４１を有するテレビジョン装置４０に接続されている。また、ＤＶＤ／ＢＤレコーダ１０は、リモコン６０により操作可能である。
【００２３】
チューナ１１は、アンテナ５０を介してテレビジョン放送を受信するように構成されている。映像処理部１３は、チューナ１１が受信したテレビジョン放送を、画質の異なる複数の録画モードを使用して処理可能なように構成されている。複数の録画モードとは、たとえば、画質の高い順にＤＲ、ＡＦ、ＡＮ、ＡＥ、ＸＰ、ＳＰ、ＬＰおよびＥＰの８種類の録画モードである。ハードディスク１４は、テレビジョン放送を、画質の異なる複数の録画モードを使用して記録可能に構成されている。具体的には、ハードディスク１４は、チューナ１１により受信され、映像処理部１３により処理されたテレビジョン放送を記録可能に構成されている。
【００２４】
ＤＶＤ／ＢＤドライブ１５は、ＤＶＤまたはＢＤを挿入可能に構成されている。制御部１６は、制御信号を伝送することによってＤＶＤ／ＢＤレコーダ１０全体の制御を行うように構成されている。また、制御部１６は、映像処理部１３および映像出力部１２を介してテレビジョン装置４０の表示内容を制御可能なように構成されている。リモコン受信部１８は、リモコン６０からの操作信号を受信するように構成されている。
【００２５】
ここで、第１実施形態では、ＤＶＤ／ＢＤレコーダ１０は、複数の録画モードの一部を使用可能な録画モードとして絞り込む設定を行うことが可能なように構成されている。また、ＤＶＤ／ＢＤレコーダ１０は、複数の録画モードの録画モード毎に、使用可能な録画モードとするか否かの設定を行うことが可能なように構成されている。また、ＤＶＤ／ＢＤレコーダ１０には、複数の録画モードのうち、いずれの録画モードが使用可能な録画モードとして設定されたかという情報を記憶するフラッシュメモリ１７が設けられている。
【００２６】
また、制御部１６は、ユーザにより使用可能な録画モードを絞り込む設定が行われる場合において、複数の録画モードの一覧を含むとともに、複数の録画モードのうち、いずれの録画モードを使用可能な録画モードとするかをユーザに設定させる画面（図３参照）をテレビジョン装置４０の表示部４１に表示させるように構成されている。
【００２７】
また、制御部１６は、ユーザにより使用可能な録画モードを絞り込む設定が行われた場合において、複数の録画モードのうち、設定により絞り込まれた使用可能な録画モードを選択可能な状態で表示する録画モード選択画面４１ａ〜４１ｃ（図５〜図７参照）をテレビジョン装置４０の表示部４１に表示させるように構成されている。第１実施形態では、録画モード選択画面４１ａ〜４１ｃは、使用可能な録画モードを、ユーザの操作に応じて切り替わりながら一つずつ表示するように構成されている。すなわち、録画モード選択画面４１ａ〜４１ｃは、設定により絞り込まれた使用可能な録画モードを、いわゆるトグル形式で一つずつ表示するように構成されている。なお、録画モード選択画面４１ａ〜４１ｃは、たとえばユーザがテレビジョン放送の録画予約を行う場合において、録画に使用する録画モードを指定する際に表示される。
【００２８】
次に、図２および図３を参照して、第１実施形態によるＤＶＤ／ＢＤレコーダ１０の、ユーザにより録画モードを絞り込む設定が行われる場合における制御部１６の制御動作について説明する。なお、ＤＶＤ／ＢＤレコーダ１０は、初期状態でＤＲ、ＡＦ、ＡＮ、ＡＥ、ＸＰ、ＳＰ、ＬＰおよびＥＰの８種類の録画モードを使用可能であるとする。
【００２９】
図２に示すように、ユーザにより録画モードを絞り込む設定が行われる場合においては、まず、ステップＳ１において、ユーザがリモコン６０の操作を行うことにより、図３に示すような録画モード設定画面４０ａがテレビジョン装置４０の表示部４１に表示され、ステップＳ２に進む。図３の録画モード選択画面４０ａでは、ＤＲ、ＡＦ、ＡＮ、ＡＥ、ＸＰ、ＳＰ、ＬＰおよびＥＰの８種類の録画モードが一覧表示されている。
【００３０】
次に、ステップＳ２において、使用可能とする録画モードがユーザにより選択されたか否かが判断される。ステップＳ２においては、使用可能とする録画モードがユーザにより選択されるまでこの判断が繰り返され、使用可能とする録画モードがユーザにより選択されたと判断された場合に、ステップＳ３に進む。図３では、ユーザがリモコン６０の十字キー６０ａ（図１参照）を用いてカーソル４０ｂを動かすとともに、リモコン６０の選択決定キー６０ｂ（図１参照）を押下することにより、録画モードが選択される。
【００３１】
次に、ステップＳ３において、ステップＳ２において選択された録画モードが使用可能に設定され、ステップＳ４に進む。図３では、ユーザがリモコン６０の選択決定キー６０ｂ（図１参照）を押下してチェックボックス４０ｃにチェックを入れることにより、選択された録画モードが使用可能な録画モードとして設定される。すなわち、ユーザは、８種類の録画モードの録画モード毎に、使用可能な録画モードとするか否かの設定を行うことが可能である。なお、図３では、ＤＲ、ＡＦおよびＸＰの３種類の録画モードが使用可能に設定されている。
【００３２】
次に、ステップＳ４において、録画モード設定情報がフラッシュメモリ１７に記憶される。具体的には、初期状態でＤＶＤ／ＢＤレコーダ１０が使用可能な８種類の録画モードのうち、いずれの録画モードが使用可能な録画モードとして設定されたかという情報が録画モード設定情報としてフラッシュメモリ１７に記憶される。図３では、ＤＲ、ＡＦおよびＸＰの３種類の録画モードが使用可能に設定されたという情報がフラッシュメモリ１７に記憶される。そして、録画モードを絞り込む設定が行われる場合における制御部１６の制御動作が終了する。
【００３３】
次に、図４〜図７を参照して、第１実施形態によるＤＶＤ／ＢＤレコーダ１０において、ユーザの操作（リモコン６０の操作）により使用する録画モードが切り替えられる場合における制御部１６の制御動作について説明する。以下では、上記設定により、使用可能な録画モードが予めＤＲ、ＡＦおよびＸＰの３種類に絞り込まれているものとして、使用する録画モードがＤＲからＸＰへと切り替えられる場合について説明する。
【００３４】
まず、図４〜図６を参照して、ユーザの操作（リモコン６０の操作）により録画モードがＤＲからＡＦへと切り替えられる場合について説明する。
【００３５】
図４に示すように、使用する録画モードがＤＲからＡＦへと切り替えられる場合においては、まず、ステップＳ１１において、図５に示すような録画モード選択画面４１ａがテレビジョン装置４０の表示部４１に表示され、ステップＳ１２に進む。図５の録画モード選択画面４１ａでは、使用可能な録画モードとしてＤＲが表示されている。また、図５の録画モード選択画面４１ａでは、録画モード（ＤＲ）が選択可能な状態で表示されている。図５では、ユーザによるリモコン６０の選択決定キー６０ｂ（図１参照）の操作により、ＯＫボタンが選択された場合、表示されている録画モード（ＤＲ）が選択される。
【００３６】
次に、ステップＳ１２において、ユーザにより録画モードの切替操作が行われたか否かが判断される。具体的には、ユーザによるリモコン６０の選択決定キー６０ｂ（図１参照）の操作により、図５に示す録画モード選択画面４１ａの上ボタン４１０または下ボタン４１１が選択されたか否かが判断される。ステップＳ１２においては、ユーザにより録画モードの切替操作が行われるまでこの判断が繰り返され、ユーザにより録画モードの切替操作が行われた場合に、ステップＳ１３に進む。以下では、ユーザによるリモコン６０の選択決定キー６０ｂ（図１参照）の操作により、図５に示す録画モード選択画面４１ａの下ボタン４１１が選択されたものとする。
【００３７】
次に、ステップＳ１３において、次の録画モードが使用可能に設定されているか否かが判断される。なお、次の録画モードとは、画質が一段階異なる録画モードのことである。たとえば、図５の録画モード選択画面４１ａに表示されているＤＲの下ボタン４１１が選択された場合の次の録画モードは、ＤＲより画質が一段階低いＡＦである。ステップＳ１３においては、次の録画モードが使用可能に設定されていると判断されるまでこの判断が繰り返され、次の録画モードが使用可能に設定されていると判断された場合に、ステップＳ１４に進む。図５では、ＤＲの次の録画モードであるＡＦが、予め使用可能な録画モードとしてユーザにより設定されているので、ステップＳ１４に進む。
【００３８】
次に、ステップＳ１４において、切り替えた録画モードを録画モード選択画面４１ｂに表示させる。たとえば、図５の録画モード選択画面４１ａにおいて、ユーザにより録画モードの切替操作が行われた場合には、図６に示すような録画モード選択画面４１ｂがテレビジョン装置４０の表示部４１に表示される。図６の録画モード選択画面４１ｂには、図５の録画モード選択画面４１ａと異なり、使用可能な録画モードとしてＡＦが表示されている。すなわち、録画モード選択画面４１ａおよび４１ｂには、使用可能な録画モードが、ユーザの操作に応じて切り替わりながら一つずつ表示される。そして、使用する録画モードがＤＲからＡＦへと切り替えられる場合における制御部１６の制御動作が終了する。
【００３９】
次に、図４、図６および図７を参照して、ユーザの操作（リモコン６０の操作）により録画モードがＡＦからＸＰへと切り替えられる場合について説明する。
【００４０】
図４に示すように、使用する録画モードがＡＦからＸＰへと切り替えられる場合においては、上記録画モードがＤＲからＡＦへと切り替えられる場合と同様に、まず、ステップＳ１１において、図６に示すような録画モード選択画面４１ｂがテレビジョン装置４０の表示部４１に表示され、ステップＳ１２に進む。図６の録画モード選択画面４１ｂでは、使用可能な録画モードとしてＡＦが表示されている。
【００４１】
次に、ステップＳ１２において、ユーザにより録画モードの切替操作が行われたか否かが判断される。ステップＳ１２においては、ユーザにより録画モードの切替操作が行われるまでこの判断が繰り返され、ユーザにより録画モードの切替操作が行われた場合に、ステップＳ１３に進む。以下では、ユーザによるリモコン６０の選択決定キー６０ｂ（図１参照）の操作により、図６に示す録画モード選択画面４１ｂの下ボタン４１１が選択されたものとする。
【００４２】
次に、ステップＳ１３において、次の録画モードが使用可能に設定されているか否かが判断される。ステップＳ１３においては、次の録画モードが使用可能に設定されていると判断されるまでこの判断が繰り返され、次の録画モードが使用可能に設定されていると判断された場合に、ステップＳ１４に進む。図６では、ＡＦの次の録画モードであるＡＮが使用可能な録画モードとして設定されていないので、ステップＳ１３における判断が再度行われる。また、ＡＮの次の録画モードであるＡＥも使用可能な録画モードとして設定されていないので、さらにステップＳ１３における判断が行われる。そして、ＡＥの次の録画モードであるＸＰは、予め使用可能な録画モードとしてユーザにより設定されているので、ステップＳ１４に進む。
【００４３】
次に、ステップＳ１４において、切り替えた録画モードを録画モード選択画面４１ｃに表示させる。具体的には、図６の録画モード選択画面４１ｂにおいてユーザにより録画モードの切替操作が行われた場合、図７に示すような録画モード選択画面４１ｃがテレビジョン装置４０の表示部４１に表示される。図７の録画モード選択画面４１ｃには、図６の録画モード選択画面４１ｂと異なり、使用可能な録画モードとしてＸＰが表示されている。すなわち、録画モード選択画面４１ｂおよび４１ｃには、使用可能な録画モードが、ユーザの操作に応じて切り替わりながら一つずつ表示される。そして、使用する録画モードがＡＦからＸＰへと切り替えられる場合における制御部１６の制御動作が終了する。
【００４４】
第１実施形態によるＤＶＤ／ＢＤレコーダ１０では、上記のように、複数の録画モードの一部を使用可能な録画モードとして絞り込む設定を行うことが可能なように構成している。これにより、録画モードを選択する際および選択された録画モードを変更する際におけるユーザの選択肢の数を少なくすることができるので、複数の録画モードの中から使用する録画モードを選択する際におけるユーザの作業の負担を軽減することができる。
【００４５】
また、第１実施形態では、上記のように、複数の録画モードの録画モード毎に、使用可能な録画モードとするか否かの設定を行うことが可能なように構成している。これにより、いずれの録画モードを使用可能な録画モードとするかをユーザが自由に録画モード毎に設定することができる。
【００４６】
また、第１実施形態では、上記のように、複数の録画モードのうち、いずれの録画モードが使用可能な録画モードとして設定されたかという情報を記憶するフラッシュメモリ１７を設けている。これにより、いずれの録画モードが使用可能な録画モードとして設定されたかという情報をフラッシュメモリ１７に記憶させておくことができるので、設定情報の管理を容易に行うことができる。
【００４７】
また、第１実施形態では、上記のように、ＤＶＤ／ＢＤレコーダ１０に接続されるテレビジョン装置４０の表示内容を制御可能な制御部１６を設け、制御部１６を、ユーザにより使用可能な録画モードを絞り込む設定が行われる場合において、複数の録画モードの一覧を含むとともに、複数の録画モードのうち、いずれの録画モードを使用可能な録画モードとするかをユーザに設定させる画面をテレビジョン装置４０に表示させるように構成している。これにより、複数の録画モードのうち、いずれの録画モードを使用可能な録画モードとするかをユーザが画面を見ながら容易に設定することができる。
【００４８】
また、第１実施形態では、上記のように、制御部１６を、ユーザにより使用可能な録画モードを絞り込む設定が行われた場合において、複数の録画モードのうち、設定により絞り込まれた使用可能な録画モードを選択可能な状態で表示する録画モード選択画面４１ａ〜４１ｃをテレビジョン装置４０に表示させるように構成している。これにより、ユーザは、録画モード選択画面４１ａ〜４１ｃを見ることにより、設定により絞り込まれた使用可能な録画モードのうち、いずれの録画モードが使用可能であるかを容易に認識することができる。
【００４９】
また、第１実施形態では、上記のように、録画モード選択画面４１ａ〜４１ｃを、使用可能な録画モードがユーザの操作に応じて切り替わりながら一つずつ表示されるように構成している。これにより、使用可能な録画モードが一つずつ録画モード選択画面４１ａ〜４１ｃに表示されるので、ユーザは、録画モード選択画面４１ａ〜４１ｃを見ることにより、現在表示されている選択対象の録画モードがどの録画モードであるかを誤りなく確実に認識することができる。
【００５０】
（第２実施形態）
次に、図１〜図３および図８を参照して、本発明の第２実施形態によるＤＶＤ／ＢＤレコーダ２０について説明する。この第２実施形態では、上記使用可能な録画モードがいわゆるトグル形式で１つずつ録画モード選択画面４１ａ〜４１ｃ（図５〜図７参照）に表示される第１実施形態と異なり、使用可能な録画モードが録画モード選択画面４２（図８参照）に一覧表示される。
【００５１】
第２実施形態によるＤＶＤ／ＢＤレコーダ２０では、制御部２６は、使用可能な録画モードを画質の高い順に一覧表示する録画モード選択画面４２（図８参照）を表示部４１に表示させるように構成されている。なお、図１に示すように、第２実施形態のその他の構成は、上記した第１実施形態と同様である。また、図２および図３に示すように、第２実施形態の、ユーザにより録画モードを絞り込む設定が行われる場合における制御部２６の制御動作は、上記した第１実施形態と同様である。
【００５２】
ここで、図８を参照して、ユーザの設定により使用可能な録画モードが予めＤＲ、ＡＦおよびＸＰの３種類に絞り込まれている場合における録画モード選択画面４２について説明する。
【００５３】
図８に示すように、ユーザの設定により使用可能な録画モードが予めＤＲ、ＡＦおよびＸＰの３種類に絞り込まれている場合、録画モード選択画面４２には、ＤＲ、ＡＦおよびＸＰの３つの録画モードが画質の高い順に一覧表示される。なお、録画モード選択画面４２は、たとえばユーザがテレビジョン放送の録画予約を行う場合において、録画に使用する録画モードを選択する際に表示される。この録画モード選択画面４２では、ユーザは、リモコン６０の十字キー６０ａ（図１参照）の操作によりカーソル４２ａを動かすとともに、リモコン６０の選択決定キー６０ｂ（図１参照）を押下することにより、目的の録画モードを選択する。図８では、ＤＲが選択されている。
【００５４】
第２実施形態によるＤＶＤ／ＢＤレコーダ２０では、上記のように、録画モード選択画面４２を、使用可能な録画モードが画質の高い順に一覧表示されるように構成している。これにより、ユーザは、録画モード選択画面４２を見ることにより、目的の録画モードの画質の高さの順番が、使用可能な録画モード全体の中でどの位置にあるのかを容易に確認することができる。
【００５５】
（第３実施形態）
次に、図１〜図３および図９を参照して、本発明の第３実施形態によるＤＶＤ／ＢＤレコーダ３０について説明する。この第３実施形態では、上記使用可能な録画モードのみが録画モード選択画面４２（図８参照）に一覧表示される第２実施形態と異なり、使用不可能な録画モードも録画モード選択画面４３（図９参照）に一覧表示される。
【００５６】
第３実施形態によるＤＶＤ／ＢＤレコーダ３０では、制御部３６は、複数の録画モードの全てを画質の高い順に表示するとともに、一覧表示された全ての録画モードのうち、使用可能な録画モードを選択可能な状態で表示し、使用不可能な録画モードを選択不可能な状態で表示する録画モード選択画面４３（図９参照）を表示部４１に表示させるように構成されている。また、制御部３６は、全ての録画モードを、選択可能な状態であるか選択不可能な状態であるかをユーザが視覚的に識別することが可能なように表示する録画モード選択画面４３（図９参照）を表示部４１に表示させるように構成されている。なお、図１に示すように、第３実施形態のその他の構成は、上記した第２実施形態と同様である。また、図２および図３に示すように、第３実施形態の、ユーザにより録画モードを絞り込む設定が行われる場合における制御部３６の制御動作は、上記した第２実施形態と同様である。
【００５７】
ここで、図９を参照して、ユーザの設定により使用可能な録画モードが予めＤＲ、ＡＦおよびＸＰの３種類に絞り込まれている場合における録画モード選択画面４３について説明する。なお、第３実施形態では、初期状態でＤＲ、ＡＦ、ＡＮ、ＡＥ、ＸＰ、ＳＰ、ＬＰおよびＥＰの８種類の録画モードを使用可能であるとする。
【００５８】
図９に示すように、ユーザの設定により使用可能な録画モードが予めＤＲ、ＡＦおよびＸＰの３種類に絞り込まれている場合、録画モード選択画面４３には、全ての録画モードが画質の高い順に一覧表示される。図９では、全ての録画モード（ＤＲ、ＡＦ、ＡＮ、ＡＥ、ＸＰ、ＳＰ、ＬＰおよびＥＰ）のうち、使用可能な録画モード（ＤＲ、ＡＦおよびＸＰ）が選択可能な状態で表示され、使用不可能な録画モード（ＡＮ、ＡＥ、ＳＰ、ＬＰおよびＥＰ）が選択不可能な状態で表示（いわゆるグレーアウト表示）されている。なお、録画モード選択画面４３は、たとえばユーザがテレビジョン放送の録画予約を行う場合において、録画に使用する録画モードを選択する際に表示される。この録画モード選択画面４３では、ユーザは、リモコン６０の十字キー６０ａ（図１参照）の操作によりカーソル４３ａを動かすとともに、リモコン６０の選択決定キー６０ｂ（図１参照）を押下することにより、目的の録画モードを選択する。図９では、ＤＲが選択されている。
【００５９】
第３実施形態によるＤＶＤ／ＢＤレコーダ３０では、上記のように、録画モード選択画面４３を、複数の録画モードの全てを画質の高い順に一覧表示するとともに、一覧表示された全ての録画モードのうち、使用可能な録画モードを選択可能な状態で表示し、使用不可能な録画モードを選択不可能な状態で表示するように構成している。これにより、ユーザは、録画モード選択画面４３を見ることにより、使用可能な録画モードの画質の高さの順番が、使用不可能な録画モードを含めた全ての録画モードの中でどの位置にあるのかを容易に確認することができる。
【００６０】
また、第３実施形態では、上記のように、全ての録画モードを、選択可能な状態であるか選択不可能な状態であるかをユーザが視覚的に識別することが可能なように表示している。これにより、ユーザは、録画モード選択画面４３を見ることにより、録画モード選択画面４３に表示された全ての録画モードのうち、どの録画モードが選択可能であり、どの録画モードが選択不可能であるかを容易に認識することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１〜第３実施形態では、ＤＶＤ／ＢＤレコーダ内部のチューナにより受信されたテレビジョン放送を録画するＤＶＤ／ＢＤレコーダを示したが、本発明はこれに限らない。本発明では、テレビジョン装置などの外部機器に設けられたチューナを介して受信したテレビジョン放送を録画するＤＶＤ／ＢＤレコーダであってもよい。
【００６３】
また、上記第１〜第３実施形態では、初期状態でＤＲ、ＡＦ、ＡＮ、ＡＥ、ＸＰ、ＳＰ、ＬＰおよびＥＰの８種類の録画モードを使用可能なＤＶＤ／ＢＤレコーダを示したが、本発明はこれに限らない。本発明では、初期状態で７種類以下の録画モードを使用可能なＤＶＤ／ＢＤレコーダであってもよいし、９種類以上の録画モードを使用可能なＤＶＤ／ＢＤレコーダであってもよい。
【００６４】
また、上記第１〜第３実施形態では、ユーザの設定により絞り込まれた録画モードがＤＲ、ＡＦおよびＸＰの３種類である例を示したが、本発明はこれに限らない。本発明では、初期状態で使用可能な複数の録画モードの一部であれば、２種類以下であってもよいし、４種類以上であってもよい。
【００６５】
また、上記第１〜第３実施形態では、本発明の録画装置としてＤＶＤ／ＢＤレコーダを用いる例を示したが、本発明はこれに限らない。たとえば、本発明の録画装置として、録画機能付きのテレビジョン装置を用いてもよい。
【符号の説明】
【００６６】
１０、２０、３０  ＤＶＤ／ＢＤレコーダ（録画装置）
１４  ハードディスク（記録部）
１７  フラッシュメモリ（設定情報記憶部）
４０  テレビジョン装置（表示装置）
【図１】
2011249949.tif 000003
【図２】
2011249949.tif 000004
【図３】
2011249949.tif 000005
【図４】
2011249949.tif 000006
【図５】
2011249949.tif 000007
【図６】
2011249949.tif 000008
【図７】
2011249949.tif 000009
【図８】
2011249949.tif 000010
【図９】
2011249949.tif 000011